(57)【要約】グルコース抽出用パッチが開示される。本発明のパッチは、フレーム（３１０）、第１電極フィルム（３２０）、２つの媒体（３３ａ、３３０ｂ）、第２電極フィルム（３５０）、および支持台（３６０）を含んでなる。前記フレーム（３１０）は、２つの突出部を有し、それぞれの突出部には接触孔が設けられている。前記第１電極フィルム（３２０）は、前記フレームの裏側に付着し、前記接触孔に対応して孔が設けられており、電極、端子および銅線を含んでなる。前記２つの媒体（３３０ａ、３３０ｂ）は、前記突出部の内部にそれぞれ収容され、イオンの移動のためのイオン伝導性と親水性を有し、少なくとも一つは酵素を含む。前記第２電極フィルム（３５０）は、グルコースを抽出するための電極、電気的接続のための端子、および電極と端子間を連結するための銅線を含んでなる。前記支持台（３６０）は、前記第２電極フィルムに付着する。
2009501606.tif 000002
【特許請求の範囲】
【請求項１】
２つの突出部を有し、それぞれの突出部の中心には皮膚に接触するための接触孔が設けられているフレームと、
前記フレームの形態と同じ形態でフレームの裏側に付着し、前記接触孔に対応する部分に孔が設けられており、グルコースを抽出するための電極、電気的接続のための端子、および電極と端子間を連結するための銅線を含む第１電極フィルムと、
前記突出部の内部にそれぞれ収容され、イオンの移動のためのイオン伝導性と親水性を有し、少なくとも一つはグルコースと反応してイオンを生成する酵素を含む２つの媒体と、
前記２つの媒体のそれぞれに対応する位置に設けられており、グルコースを抽出するための電極、電気的接続のための端子、および電極と端子間を連結するための銅線を含む第２電極フィルムと、
前記第２電極フィルムに付着し、グルコース測定装置との物理的な結合のための支持台とを含むことを特徴とする、グルコース抽出用パッチ。
【請求項２】
第１電極フィルムの電極が、媒体と抽出されたグルコースとの反応によって生成される電流を測定するときの基準電位として使用される基準電極と、媒体と抽出されたグルコースとの反応によって生成される電流を測定するための計測電極とを含み、
第２電極フィルムの電極が、グルコースを皮膚から抽出するための第１および第２抽出電極と、媒体と抽出されたグルコースとの反応によって生成される電流の測定に使用される電圧を印加するための作用電極とを含むことを特徴とする、請求項１に記載のグルコース抽出用パッチ。
【請求項３】
計測電極が、中心に接触孔に対応する孔が設けられた環状であって、媒体のいずれか一つに対応するところに位置しており、
基準電極が、前記計測電極の外側に沿って湾曲した棒状に設けられており、
作用電極が、円形であって、前記計測電極に対応する部分に位置しており、
第１抽出電極が、一部分の切り取られた環状であって、前記作用電極の外側を取り囲んでおり、
第２抽出電極が、環状であって、前記計測電極に対応する媒体以外の、他の媒体に対応する部分に位置していることを特徴とする、請求項２に記載のグルコース抽出用パッチ。
【請求項４】
酵素を含む少なくとも一つの媒体が、親水性ゲルと、該親水性ゲルの下側に接着された、酵素が固定されたナノ繊維網状シートとを含むことを特徴とする、請求項３に記載のグルコース抽出用パッチ。
【請求項５】
ナノ繊維網状シートが、第１抽出電極の直径より大きい直径を持つ円形であって、該円の中心が作用電極の中心と一致するところに位置することを特徴とする、請求項４に記載のグルコース抽出用パッチ。
【請求項６】
第１電極フィルムの電極が、媒体と抽出されたグルコースとの反応によって生成される電流の測定に使用される電圧を印加するための作用電極を含み、
第２電極フィルムの電極が、媒体と抽出されたグルコースとの反応によって生成される電流を測定するときの基準電位として使用される基準電極と、媒体と抽出されたグルコースとの反応によって生成される電流を測定するための計測電極と、グルコースを皮膚から抽出するための第１および第２抽出電極とを含むことを特徴とする、請求項１に記載のグルコース抽出用パッチ。
【請求項７】
作用電極が、中心に接触孔に対応する孔が設けられた環状であって、媒体のいずれか一つに対応するところに位置しており、
計測電極が、縁の一部分がない円形であって、前記作用電極に対応する部分に位置しており、
基準電極が、前記計測電極の縁の一部分がない部分に位置しており、
第１抽出電極が、一部分の切り取られた環状であって、前記計測電極の外側を取り囲んでおり、
第２抽出電極が、環状であって、前記作用電極に対応する媒体以外の、他の媒体に対応する部分に位置していることを特徴とする、請求項６に記載のグルコース抽出用パッチ。
【請求項８】
酵素を含む少なくとも一つの媒体が、親水性ゲルと、該親水性ゲルの下側に接着された、酵素が固定されたナノ繊維網状シートとを含むことを特徴とする、請求項７に記載のグルコース抽出用パッチ。
【請求項９】
ナノ繊維網状シートが、第１抽出電極の直径より大きい直径を持つ円形であって、該円の中心が計測電極の中心と一致するところに位置することを特徴とする、請求項８に記載のグルコース抽出用パッチ。
【請求項１０】
第１電極フィルムと第２電極フィルムとが、互いに対向する面に電極、端子および銅線がプリントされ、第１電極フィルムの突出部を除いた部分と第２電極フィルムとが、互いに接着されていることを特徴とする、請求項１〜９のいずれかに記載のグルコース抽出用パッチ。
【請求項１１】
第１電極フィルムの端子と第２電極フィルムの端子とが、互いに電気的に接続されるように、第１電極フィルムの突出部を除いた部分と第２電極フィルムとが、互いに接着されていることを特徴とする、請求項１０に記載のグルコース抽出用パッチ。
【請求項１２】
第１電極フィルムの端子が位置する部分が、他の第１電極フィルムの部分より突出している端子突出部で形成されており、第２電極フィルムの端子が位置する部分が、他の第２電極フィルムの部分より突出している端子突出部で形成されていることを特徴とする、請求項１０に記載のグルコース抽出用パッチ。
【請求項１３】
第２電極フィルムの端子突出部が、第１電極フィルムの端子突出部よりさらに突出して設けられていることを特徴とする、請求項１２に記載のグルコース抽出用パッチ。
【請求項１４】
第２電極フィルムの端子が位置する部分が、支持台のエッジ部分で折り曲げられて支持台の背面に接着され、該支持台の背面から端子が露出するように形成されていることを特徴とする、請求項１３に記載のグルコース抽出用パッチ。
【発明の詳細な説明】
【技術分野】
【０００１】
本発明は、グルコースを測定するためのグルコース測定装置に用いられるグルコース抽出用パッチに関する。
【背景技術】
【０００２】
一般に、糖尿病は、インスリン分泌の不足またはインスリンに対する細胞反応性の低下により、飲食物が消化されて得られるグルコース（ブドウ糖）が人体内の血液に蓄積され、例えば動脈硬化症、高血圧、脳血管梗塞症などの心血管系疾患、例えば糖尿病性腎症などの腎臓疾患、例えば糖尿病性網膜症や白内障などの眼疾患、例えば膿皮症や壊疽などの皮膚疾患、例えば歯槽膿漏などの口腔疾患といった合併症を誘発する難治性の疾病である。社会経済的な発展に伴い、糖尿病の人口は過食、運動不足、ストレス増加などによって著しく増加する趨勢である。先進化している国家の場合、全体人口の５〜１０％が糖尿病患者と推定されており、これらの５０％程度は本人が糖尿病患者であることを認識していない状況である。このような糖尿病患者は、基本的に、空腹時（許容最大値１４０ｍｇ／ｄＬ）と食後２時間（許容最大値２００ｍｇ／ｄＬ）の血糖量を周期的にモニタリングすることにより、自分の血糖量を管理することが勧奨されている。この他にも、多くの条件、例えば全身状態、摂取する飲食物の種類および量、年齢、合併症の有無、ストレス、その他の同伴疾患などによって一日中にも血糖の変動が激しいので、糖尿病患者の自己血糖検査および管理は患者の健康維持および合併症予防に非常に重要な要素であると言える。
【０００３】
従来、血液内のグルコース、すなわち血糖のモニタリング方法は主に採血式に依存してきた。すなわち、指先またはその他の身体特定部位から採血針を用いて血液を採取する方式であって、単発の検査だけが可能であるという欠点があった。また、採血式血糖モニタリングシステムは、採血時の苦痛または不快感によって短い周期で血糖を測定することができないという不便さがあった。
このような問題点を勘案し、採血することなく血中分析物の濃度を測定する多様な方法が開発されている。例えば、Ｙａｎｇ等の米国特許第５，２６７，１５２号には、近赤外線放射拡散法を用いて血中グルコース濃度を測定する非侵襲式技術が開示されている。ところが、この方法は、技術的な問題によって未だ実用化されていない。
【０００４】
また、Ｇｌｉｋｆｅｌｄの米国特許第５，２７９，５４３号には、イオン泳動（電気浸透圧）法を用いて、皮膚表面にある貯蔵手段を介して非侵襲式で物質をサンプリングする技術が開示されている。この方法は、血中グルコースをモニタリングするためにグルコース特異的バイオセンサーまたはグルコース選択的電極と結合できることを提案している。ところが、方法は、患者が簡便に使用可能な構成を提示しておらず、また、連続して血糖値をモニタリングすることが難しいという欠点がある。
【０００５】
また、グルコースを抽出するためのパッチを備える従来のグルコース測定装置が開発されている。例えば、韓国登録特許第１０−４５３４８３号には、グルコース抽出装置用パッチおよびその製作方法が開示されている。この方法を図面を参照して説明すると、次の通りである。
【０００６】
図１は従来のグルコース測定装置の外観を示す図である。図１に示すように、グルコース測定装置の前面に、血糖数値等の情報が表示される表示部と、情報を入力または選択することのできる入力部などが備えられる。
【０００７】
図２は従来のグルコース測定装置の背面を分解して示す図である。図２に示すように、患者の皮膚に付着してグルコースを抽出する使い捨てパッチ２００がグルコース測定装置の背面に備えられる。これに関連し、グルコース測定装置には、使い捨てパッチを固定させるためのロッカー(locker)１０２と、バッテリーを収納するためのバッテリー収納部１０１ａ、１０１ｂと、使い捨てパッチ２００の端子２１１との電気的接続のための端子１０３とが備えられている。
【０００８】
図３は従来のグルコース抽出用パッチ２００の構成を示す分解斜視図である。パッチ２００は、グルコースと反応して過酸化水素を生成することが可能な酵素をそれぞれ含有する２つの親水性ゲルディスク２２０ａ、２２０ｂと、ゲルディスク２２０ａ、２２０ｂを収容するためのフレーム２３０と、ゲルディスク２２０ａ、２２０ｂを支持するためのフィルム２４０と、プリント回路２１０とを備える。プリント回路２１０には、グルコースを抽出するために使用される電気的な電極がプリントされている。ところが、従来技術では、一つのプリント回路２１０に電極が配置されることにより、電極と端子間の連結が複雑になり、これによる高い抵抗値によって伝導度が減少し、感度が低下し、長い分析時間がかかるという問題点があった。
【発明の開示】
【発明が解決しようとする課題】
【０００９】
そこで、本発明は、かかる問題点を勘案してなされたもので、その目的は、抵抗値を減らして伝導度と感度を改善するために電極がそれぞれプリントされている２枚の電極フィルムを備えるグルコース抽出用パッチを提供することにある。
【課題を解決するための手段】
【００１０】
上記目的を達成するために、本発明は、２つの突出部を有し、それぞれの突出部の中心には皮膚に接触するための接触孔が設けられているフレームと、前記フレームの形態と同じ形態でフレームの裏側に付着し、前記接触孔に対応する部分に孔が設けられており、グルコースを抽出するための電極、電気的接続のための端子、および電極と端子間を連結するための銅線を含む第１電極フィルムと、前記突出部の内部にそれぞれ収容され、イオンの移動のためのイオン伝導性と親水性を有し、少なくとも一つはグルコースと反応してイオンを生成する酵素を含む２つの媒体と、前記２つの媒体のそれぞれに対応する位置に設けられており、グルコースを抽出するための電極、電気的接続のための端子、および電極と端子間を連結するための銅線を含む第２電極フィルムと、前記第２電極フィルムに付着し、グルコース測定装置との物理的な結合のための支持台とを含む、グルコース抽出用パッチを提供する。
【００１１】
好ましくは、前記第１電極フィルムの電極は、前記媒体と抽出されたグルコースとの反応によって生成される電流を測定するときの基準電位として使用される基準電極と、前記媒体と抽出されたグルコースとの反応によって生成される電流を測定するための計測電極とを含み、前記第２電極フィルムの電極は、グルコースを皮膚から抽出するための第１および第２抽出電極と、前記媒体と抽出されたグルコースとの反応によって生成される電流の測定に使用される電圧を印加するための作用電極とを含む。
【００１２】
好ましくは、前記計測電極は、中心に前記接触孔に対応する孔が設けられた環状であって、前記媒体のいずれか一つに対応するところに位置しており、前記基準電極は、前記計測電極の外側に沿って湾曲した棒状に設けられており、前記作用電極は、円形であって、前記計測電極に対応する部分に位置しており、前記第１抽出電極は、一部分の切り取られた環状であって、前記作用電極の外側を取り囲んでおり、前記第２抽出電極は、環状であって、前記計測電極に対応する媒体以外の、他の媒体に対応する部分に位置している。    
【００１３】
好ましくは、酵素を含む前記少なくとも一つの媒体は、親水性ゲルと、該親水性ゲルの下側に接着された、酵素が固定されたナノ繊維網状シートとを含む。
【００１４】
好ましくは、前記ナノ繊維網状シートは、前記第１抽出電極の直径より大きい直径を持つ円形であって、該円の中心が前記作用電極の中心と一致するところに位置する。
【００１５】
本発明の他の実施例によれば、前記第１電極フィルムの電極は、前記媒体と抽出されたグルコースとの反応によって生成される電流の測定に使用される電圧を印加するための作用電極を含み、前記第２電極フィルムの電極は、前記媒体と抽出されたグルコースとの反応によって生成される電流を測定するときの基準電位として使用される基準電極と、前記媒体と抽出されたグルコースとの反応によって生成される電流を測定するための計測電極と、グルコースを皮膚から抽出するための第１および第２抽出電極とを含む。
【００１６】
好ましくは、前記作用電極は、中心に前記接触孔に対応する孔が設けられた環状であって、前記媒体のいずれか一つに対応するところに位置しており、前記計測電極は、縁の一部分がない円形であって、前記作用電極に対応する部分に位置しており、前記基準電極は、前記計測電極の縁の一部分がない部分に位置しており、前記第１抽出電極は、一部分の切り取られた環状であって、前記計測電極の外側を取り囲んでおり、前記第２抽出電極は、環状であって、前記作用電極に対応する媒体以外の、他の媒体に対応する部分に位置している。
【００１７】
好ましくは、酵素を含む前記少なくとも一つの媒体は、親水性ゲルと、該親水性ゲルの下側に接着された、酵素が固定されたナノ繊維網状シートとを含む。
【００１８】
好ましくは、前記ナノ繊維網状シートは、前記第１抽出電極の直径より大きい直径を持つ円形であって、該円の中心が前記計測電極の中心と一致するところに位置する。
【００１９】
好ましくは、前記第１電極フィルムと前記第２電極フィルムとは、互いに対向する面に電極、端子および銅線がプリントされ、第１電極フィルムの突出部を除いた部分と第２電極フィルムとが、互いに接着されている。この際、前記第１電極フィルムの端子と第２電極フィルムの端子とが、互いに電気的に接続されるように、第１電極フィルムの突出部を除いた部分と第２電極フィルムとが、互いに接着されている。
【００２０】
好ましくは、前記第１電極フィルムの端子が位置する部分は、他の第１電極フィルムの部分より突出している端子突起部で形成されており、前記第２電極フィルムの端子が位置する部分は、他の第２電極フィルムの部分より突出している端子突出部で形成されている。
【００２１】
好ましくは、前記第２電極フィルムの端子突出部は、第１電極フィルムの端子突出部よりさらに突出して設けられている。この際、前記第２電極フィルムの端子が位置する部分は、前記支持台のエッジ部で折り曲げられて支持台の背面に接着され、該支持台の背面から端子が露出するように形成されている。
【発明を実施するための最良の形態】
【００２２】
以下、添付図面を参照して本発明の実施例を詳細に説明する。各図面の構成要素に参照符号を付加するにおいて、同一の構成要素に限っては他の図面上に表示されてもできる限り同一の符号を持つように留意している。そして、本発明を説明するにおいて、関連した公知の機能或いは構成に対する具体的な説明が、本発明の要旨を不明確にするおそれがあると判断される場合、その詳細な説明を省略する。
【００２３】
図４は本発明の一実施例に係るグルコース抽出用パッチの構成を示す分解斜視図である。図４において、グルコース抽出用パッチは、フレーム３１０、第１電極フィルム３２０、親水性ゲル３３０ａ、３３０ｂ、ナノ繊維網状シート３４０、第２電極フィルム３５０、および支持台３６０などを含んでなる。
【００２４】
フレーム３１０は、２つの突出部３１２ａ、３１２ｂを有する。それぞれの突出部の中心には、皮膚に接触するための接触孔が設けられている。フレーム３１０の素材としてはポリエチレン（ＰＥ）素材が使用できる。
第１電極フィルム３２０は、フレーム３１０の形態と同じ形態でフレーム３１０の内側に付着し、接触孔に対応する部分に孔３２３、３２４が設けられているもので、グルコースを抽出するための電極３２１、３２２、電気的接続のための端子３２７と、電極３２１、３２２と端子３２７間を連結するための銅線３２５とを含んでなる。第１電極フィルム３２０の素材としてはポリエチレン（ＰＥ）素子が使用できる。
【００２５】
本発明の一実施例において、第１電極フィルム３２０は、フレーム３１０の形態と同じ形態で形成されているが、このような形態を製作する方法には２つの方法がある。第１の方法は、第１電極フィルム３２０を製作する際に、最初からフレーム３１０の形で製作する方法である。第２の方法は、第１電極フィルム３２０をまず平面状に製作し、後加工の際にプレス方式でフレーム３１０に加圧して第１電極フィルム３２０の形態を完成する方法である。
【００２６】
媒体は、突出部３１２ａ、３１２ｂの内部にそれぞれ収容され、イオンの移動のためのイオン伝導性と親水性を有し、少なくとも一つはグルコースと反応してイオンを生成する酵素を含む。
この際、本発明では、酵素を含む媒体の形態に対して２つの実施例を提案する。第１の実施例は、従来の技術である韓国登録特許第１０−４５３４８３号に開示されているように、酵素を含む親水性ゲル３３０ａ、３３０ｂのみで実現する。この実施例では、２つの親水性ゲル３３０ａ、３３０ｂの少なくとも一つは、酵素を含んでいなければならない。
【００２７】
酵素を含む媒体の形態に対する第２の実施例は、酵素を含んでいない親水性ゲル３３０ａと、該親水性ゲル３３０ａの下側に接着された、酵素が固定されたナノ繊維網状シート３４０とを接着する形で実現する。この際、他の親水性ゲル３３０ｂは、酵素を含んでもよく、含まなくてもよい。
【００２８】
ここで、ナノ繊維網状シート３４０に酵素を固定する方法について詳細に説明する。酵素を固定させるために、架橋剤と酵素溶液を一緒に攪拌しなければならない。架橋剤の製造方法は、ＰＶＡ、ポリアクリロニトリル、ナイロン、セルロースまたはポリビニルアルコールなどの鎖を形成することが可能な高分子を、重量濃度５〜３５ｗｔ％（好ましくは１０ｗｔ％）となるようにＰＢＳ溶液に加えた後、摂氏２４〜２５℃の温度範囲で３〜４時間攪拌しながら溶解させることにより行われる。ここに使用されるＰＢＳ溶液は、１Ｍｏｌ、ｐＨ５．１〜７．４（好ましくはｐＨ７．３）の溶液である。例えば、１Ｍｏｌ、ｐＨ７．４のＰＢＳ溶液は、１ＭｏｌのＫＨ２ＰＯ４溶液と１ＭｏｌのＫ２ＨＰＯ４溶液とを混ぜてｐＨ７．４となるように調整した後、０．１４ＭｏｌのＮａＣｌを混ぜて製造する。このように製造された架橋剤溶液に酵素を加えて５〜５０ｍＭｏｌ（好ましくは１０ｍＭｏｌ）の濃度となるように調整した後、摂氏２０℃の温度で約３０分間攪拌しながら溶解させる。
【００２９】
第２電極フィルム３５０は、２つの媒体のそれぞれに対応する位置に設けられるもので、グルコースを抽出するための電極３５１、３５２、３５３、電気的接続のための端子３５６、および電極３５１、３５２、３５３と端子３５６間を連結するための銅線３５４を含んでなる。第２電極フィルム３５０の素材としてはポリエチレン（ＰＥ）素子が使用できる。
【００３０】
支持台３６０は、第２電極フィルム３５０に付着し、グルコース測定装置との物理的な結合のために使用される。
【００３１】
図８は図４の実施例を示す断面図である。図８に示すように、本発明のグルコース抽出パッチは、支持台３６０、第２電極フィルム３５０、ナノ繊維網状シート３４０、親水性ゲル３３０ａ、３３０ｂ、第１電極フィルム３２０、およびフレーム３１０が順次接着されている構造である。
【００３２】
次に、第１電極フィルム３２０と第２電極フィルム３５０のそれぞれの電極構成について詳細に説明する。
まず、第１電極フィルム３２０について説明する。第１電極フィルム３２０の電極は、媒体と抽出されたグルコースとの反応によって生成される電流を測定するときの基準電位として使用される基準電極３２２と、媒体と抽出されたグルコースとの反応によって生成される電流を測定するための計測電極３２１とを含んでなる。
図４において、計測電極３２１は、中心に接触孔に対応する孔３２３が設けられた環状であって、親水性ゲル３３０ａに対応するところに位置している。そして、基準電極３２２は、計測電極３２１の外側に沿って湾曲した棒状に設けられている。
【００３３】
次に、第２電極フィルム３５０の電極は、グルコースを皮膚から抽出するための第１抽出電極３５１および第２抽出電極３５２と、媒体と抽出されたグルコースとの反応によって生成される電流の測定に使用される電圧を印加するための作用電極３５３とを含んでなる。
【００３４】
図４において、作用電極３５３は、円形であって、計測電極３２１に対応する部分に位置している。第１抽出電極３５１は、一部分の切り取られた環状であって、作用電極３５３の外側を取り囲んでいる。第２抽出電極３５２は、環状であって、親水性ゲル３３０ｂに対応する部分に位置してる。
図４の実施例において、ナノ繊維網状シート３４０は、第２電極フィルム３５０の作用電極３５３とこれに対応する親水性ゲル３３０ａとの間に位置し、第１抽出電極３５１の直径よりは大きい直径を持つ円形であって、該円の中心が作用電極３５３の中心と一致するところに位置する。
なお、図４の第１電極フィルム３２０および第２電極フィルム３５０の電極配置は、一実施例に過ぎず、他の形態で電極配置を構成することができる。
【００３５】
図６および図７は、本発明の他の実施例に係る第１電極フィルム３２０と第２電極フィルム３５０の電極構成を示す図である。
図６は第１電極フィルム３２０の電極に対する他の実施例を示す。図６において、第１電極フィルム３２０の電極は、媒体と抽出されたグルコースとの反応によって生成される電流の測定に使用される電圧を印加するための作用電極３２３を含む。作用電極３２３は、中心に接触孔に対応する孔が設けられた環状であって、親水性ゲル３３０ａに対応するところに位置している。
【００３６】
図７は第２電極フィルム３５０の電極に対する他の実施例を示す。図７において、第２電極フィルム３５０の電極は、媒体と抽出されたグルコースとの反応によって生成される電流を測定するときの基準電位として使用される基準電極３２２と、媒体と抽出されたグルコースとの反応によって生成される電流を測定するための計測電極３２１と、グルコースを皮膚から抽出するための第１抽出電極３５１および第２抽出電極３５２とを含んでなる。
図７において、計測電極３２１は、縁の一部分がない円形であって、第１電極フィルム３２０の作用電極３２３に対応する部分に位置しており、基準電極３２２は、計測電極３２１の縁の一部分がない部分に位置しており、前記第１抽出電極５２１は、一部分の切り取られた環状であって、計測電極３２１の外側を取り囲んでおり、第２抽出電極３５２は、環状であって、親水性ゲル３３０ｂに対応する部分に位置している。
【００３７】
図６および図７の実施例において、ナノ繊維網状シート３４０は、第２電極フィルム３５０の計測電極３２１とこれに対応する親水性ゲル３３０ａとの間に位置し、第１抽出電極３５１の直径より大きい直径を持つ円形であって、該円の中心が計測電極３２１の中心と一致するところに位置する。
【００３８】
図４の実施例と図６および図７の実施例に示されるように、第１電極フィルム３２０と第２電極フィルム３５０とは、互いに対向する面に電極、端子および銅線がプリントされ、第１電極フィルム３２０の孔３２３、３２４の周りに設けられた突出部を除いた部分と第２電極フィルム３５０とが、互いに接着されている。すなわち、第１電極フィルム３２０の端子３２７および第２電極フィルム３５０の端子３５６とが、互いに電気的に接続されるように、第１電極フィルム３２０の突出部を除いた部分と第２電極フィルム３５０とが、互いに接着されている。
【００３９】
図４の実施例において、第１電極フィルム３２０は、端子３２７の位置する部分が、他の第１電極フィルムの部分より突出している端子突出部３２６で形成されている。また、第２電極フィルム３５０の端子３５６が位置する部分も、他の第２電極フィルムの部分より突出している端子突出部３５５で形成されている。この際、図９に示すように、第２電極フィルム３５０の端子突出部３５５が、第１電極フィルム３２０の端子突出部３２６よりさらに突出して設けられていることを確認することができる。
なお、実施例によっては、第１電極フィルム３２０の端子突出部３２６を除去することもできる。この場合の第１電極フィルム３２０の形状が、図５に示されている。
【００４０】
図１０は、本発明の一実施例に係る第１電極フィルム３２０、第２電極フィルム３５０および支持台３６０の断面図である。図１０に示すように、第１電極フィルム３２０と第２電極フィルム３５０とは、端子３２７、３５６が接触した状態で互いに接着されており、第２電極フィルム３５０の端子突出部３５５は、支持台３６０のエッジ部分で折り曲げられて支持台３６０の背面に接着され、該支持台３６０の背面から端子３５６が露出するように形成されている。このように露出した端子３５６を介してグルコース抽出装置との電気的接続を行うことができる。一方、第１電極フィルム３２０と第２電極フィルム３５０とを接着する方法は、フィルムの表面に接着剤を塗布する方法を使用してもよく、超音波融着または熱融着法を使用してもよい。
【００４１】
本発明の好適な実施形態は、説明の目的で記載されたものに過ぎず、当業者であれば、特許請求の範囲に開示された本発明の思想および範囲から逸脱することなく、各種変更、追加および置換が可能であることを理解する。
【産業上の利用可能性】
【００４２】
上述したように、本発明によれば、グルコース抽出パッチの電極配置を２枚のフィルムから構成することにより、伝導度および感度を向上させ、グルコース抽出による分析時間を改善するという効果がある。
【図面の簡単な説明】
【００４３】
【図１】従来のグルコース測定装置の外観を示す図である。
【図２】従来のグルコース測定装置の背面を分解して示す図である。
【図３】従来のグルコース抽出用パッチの構成を示す分解斜視図である。
【図４】本発明の一実施例に係るグルコース抽出用パッチの構成を示す分解斜視図である。
【図５】本発明の一実施例に係る第１電極フィルムの形状を示す図である。
【図６】本発明の他の実施例に係るグルコース抽出用パッチの電極フィルムの構成を示す図である。
【図７】本発明の他の実施例に係るグルコース抽出用パッチの電極フィルムの構成を示す図である。
【図８】本発明の一実施例に係るグルコース抽出用パッチの断面図である。
【図９】本発明の一実施例に係る第１電極フィルムと第２電極フィルムとが接着された形状を示す図である。
【図１０】本発明の一実施例に係る第１電極フィルム、第２電極フィルムおよび支持台の断面図である。
【符号の説明】
【００４４】
１０１ａ、１０１ｂ    バッテリー収納部 
１０２    ロッカー
１０３    本体端子 
２００    使い捨てパッチ
２１１    パッチ端子
２１０    プリント回路 
２２０ａ、２２０ｂ    ゲルディスク 
２３０    フレーム
２４０    フィルム 
２４１    孔
３１０    フレーム 
３２０    第１電極フィルム
３３０ａ、３３０ｂ    親水性ゲル 
【００４５】
３４０    ナノ繊維網状シート
３５０    第２電極フィルム 
３６０    支持台
３１２ａ、３１２ｂ    突出部 
３２１    計測電極
３２２    基準電極 
３２３、３２４    孔
３２５    銅線 
３２６    端子
３５１    第１抽出電極 
３５２    第２抽出電極
３５３    作用電極 
３５４    銅線
３５５    端子
【図１】
2009501606.tif 000003
【図２】
2009501606.tif 000004
【図３】
2009501606.tif 000005
【図４】
2009501606.tif 000006
【図５】
2009501606.tif 000007
【図６】
2009501606.tif 000008
【図７】
2009501606.tif 000009
【図８】
2009501606.tif 000010
【図９】
2009501606.tif 000011
【図１０】
2009501606.tif 000012
【国際調査報告】
2009501606.tif 000013
2009501606.tif 000014